(57)【要約】【課題】容易に遠隔から携帯移動端末の使用者の状態を把握し、携帯移動端末のスケジュールを管理する。【解決手段】携帯移動端末１、携帯移動端末１に装着される専用モジュール２、および携帯移動端末１と通信可能に接続され、携帯移動端末１を所持するユーザのスケジュールを管理する管理端末３を含むスケジュール管理システムであって、専用モジュール２が装着された携帯移動端末１が、管理端末３との間で認証処理を行い、管理端末３は、認証処理が正常に完了した場合に、スケジュールを設定するための管理データを携帯移動端末１に送信し、携帯移動端末１は、管理端末３から受信した管理データを専用モジュール２に登録し、専用モジュール２は、携帯移動端末１によって登録された管理データに基づいて、携帯移動端末１を所持するユーザのスケジュールを管理する処理を実行する。【選択図】図８
2011239135.tif 000002
【特許請求の範囲】
【請求項１】
携帯移動端末、前記携帯移動端末に装着される専用モジュール、および前記携帯移動端末と通信可能に接続され、前記携帯移動端末を所持するユーザのスケジュールを管理する管理端末を含むスケジュール管理システムであって、
前記専用モジュールが装着された前記携帯移動端末が、前記管理端末との間で認証処理を行い、
前記管理端末は、前記認証処理が正常に完了した場合に、スケジュールを設定するための管理データを前記携帯移動端末に送信し、
前記携帯移動端末は、前記管理端末から受信した管理データを前記専用モジュールに登録し、
前記専用モジュールは、前記携帯移動端末によって登録された管理データに基づいて、前記携帯移動端末を所持するユーザのスケジュールを管理する処理を実行する
ことを特徴とするスケジュール管理システム。
【請求項２】
管理データには、スケジュールを管理する処理の実行時に特定の条件が成立した場合に、所定の通知を携帯移動端末から管理端末に送信させるための通知返信情報が含まれ、
携帯移動端末は、前記管理データに基づいた処理の実行中に、前記管理データの通知返信情報で指定された特定の条件が成立した場合に、前記管理データの通知返信情報に基づいた所定の通知を管理端末に送信し、
前記所定の通知を受信した管理端末は、スケジュールを再設定するための別の管理データを前記携帯移動端末に送信する
請求項１記載のスケジュール管理システム。
【請求項３】
携帯移動端末は、前記携帯移動端末の加速度の変化を検知するモーションセンサを有し、
前記携帯移動端末は、管理データに基づいた処理の実行中に、前記モーションセンサによって検知される前記携帯移動端末の加速度が変化した場合に、前記管理データの通知返信情報に基づいた所定の通知を管理端末に送信する
請求項２記載のスケジュール管理システム。
【請求項４】
携帯移動端末は、前記携帯移動端末の位置情報を取得する位置情報取得部を有し、
前記携帯移動端末は、管理データに基づいた処理の実行中に、前記位置情報取得部によって取得される前記携帯移動端末の位置情報が変化しなかった場合に、前記管理データの通知返信情報に基づいた所定の通知を管理端末に送信する
請求項２記載のスケジュール管理システム。
【請求項５】
携帯移動端末が、管理データに基づいた処理の実行中に、スケジュールの変更を依頼する変更依頼通知を管理端末送信した場合に、前記管理端末は、スケジュールを再設定するための別の管理データを前記携帯移動端末に送信する
請求項１から請求項４のうちのいずれか１項に記載のスケジュール管理システム。
【請求項６】
携帯移動端末、前記携帯移動端末に装着される専用モジュール、および前記携帯移動端末と通信可能に接続され、前記携帯移動端末を所持するユーザのスケジュールを管理する管理端末を含むスケジュール管理システムにおけるスケジュール管理方法であって、
前記専用モジュールが装着された前記携帯移動端末が、前記管理端末との間で認証処理を行い、
前記管理端末は、前記認証処理が正常に完了した場合に、スケジュールを設定するための管理データを前記携帯移動端末に送信し、
前記携帯移動端末は、前記管理端末から受信した管理データを前記専用モジュールに登録し、
前記専用モジュールは、前記携帯移動端末によって登録された管理データに基づいて、前記携帯移動端末を所持するユーザのスケジュールを管理する処理を実行する
ことを特徴とするスケジュール管理方法。
【請求項７】
管理データには、スケジュールを管理する処理の実行時に特定の条件が成立した場合に、所定の通知を携帯移動端末から管理端末に送信させるための通知返信情報が含まれ、
携帯移動端末は、前記管理データに基づいた処理の実行中に、前記管理データの通知返信情報で指定された特定の条件が成立した場合に、前記管理データの通知返信情報に基づいた所定の通知を管理端末に送信し、
前記所定の通知を受信した管理端末は、スケジュールを再設定するための別の管理データを前記携帯移動端末に送信する
請求項６記載のスケジュール管理方法。
【発明の詳細な説明】
【技術分野】
【０００１】
本発明は、携帯移動端末のスケジュールを管理するスケジュール管理システムおよびスケジュール管理方法に関する。
【背景技術】
【０００２】
管理者が携帯移動端末の使用者に対してスケジュールを定めたとき、管理者は、携帯移動端末の使用者がスケジュールどおりに行動しているか否かを遠隔から把握することが難しい。また、携帯移動端末の使用者の状況に応じて、定めたスケジュールが変更される可能性があるが、変更後のスケジュールを使用者に伝達するには手間がかかる。
【０００３】
特許文献１には、携帯移動端末に登録したスケジュールを、操作部を操作することなく登録および修正できるスケジュール管理システムが記載されている。特許文献１に記載されたスケジュール管理システムでは、スケジュールの登録および修正を行ったスケジュールテーブルを、管理センタから携帯移動端末に送信することによって、管理センタが携帯移動端末におけるスケジュールを管理することができる。
【０００４】
特許文献２には、センタ計算機から遠隔にある携帯移動端末を監視する移動体監視システムが記載されている。特許文献２に記載された移動体監視システムでは、ＧＰＳ（Global Positioning System ）機能や加速度センサ等を利用して携帯移動端末の使用者の動作状況を監視し、携帯移動端末の使用者が異常状態であると判断した場合には、自動的にセンタ計算機に通報することができる。
【先行技術文献】
【特許文献】
【０００５】
【特許文献１】特開２００５−２０５５７号公報（段落００１５−００２０）
【特許文献２】特開２００１−３４８７１号公報（段落００２８−００３５）
【発明の概要】
【発明が解決しようとする課題】
【０００６】
しかし、特許文献１に記載されたスケジュール管理システムでは、携帯移動端末の使用者が管理センタに電話をかけてオペレータと会話する必要があり、例えば、携帯移動端末の使用者が行動を起こさない場合には、管理センタ側からはスケジュールを管理することができない。すなわち、特許文献１に記載されたスケジュール管理システムでは、携帯移動端末の使用者の状態を能動的に把握することができない。
【０００７】
また、特許文献２に記載された移動体監視システムでは、センタ計算機は、通報によって携帯移動端末の使用者の動作状況を把握することはできるが、携帯移動端末に何らかの動作を指示することはないので、携帯移動端末のスケジュールを管理することはできない。
【０００８】
そこで、本発明は、容易に遠隔から携帯移動端末の使用者の状態を把握し、携帯移動端末のスケジュールを管理することができるスケジュール管理システムおよびスケジュール管理方法を提供することを目的とする。
【課題を解決するための手段】
【０００９】
本発明によるスケジュール管理システムは、携帯移動端末、携帯移動端末に装着される専用モジュール、および携帯移動端末と通信可能に接続され、携帯移動端末を所持するユーザのスケジュールを管理する管理端末を含むスケジュール管理システムであって、専用モジュールが装着された携帯移動端末が、管理端末との間で認証処理を行い、管理端末は、認証処理が正常に完了した場合に、スケジュールを設定するための管理データを携帯移動端末に送信し、携帯移動端末は、管理端末から受信した管理データを専用モジュールに登録し、専用モジュールは、携帯移動端末によって登録された管理データに基づいて、携帯移動端末を所持するユーザのスケジュールを管理する処理を実行することを特徴とする。
【００１０】
本発明によるスケジュール管理方法は、携帯移動端末、携帯移動端末に装着される専用モジュール、および携帯移動端末と通信可能に接続され、携帯移動端末を所持するユーザのスケジュールを管理する管理端末を含むスケジュール管理システムにおけるスケジュール管理方法であって、専用モジュールが装着された携帯移動端末が、管理端末との間で認証処理を行い、管理端末は、認証処理が正常に完了した場合に、スケジュールを設定するための管理データを携帯移動端末に送信し、携帯移動端末は、管理端末から受信した管理データを専用モジュールに登録し、専用モジュールは、携帯移動端末によって登録された管理データに基づいて、携帯移動端末を所持するユーザのスケジュールを管理する処理を実行することを特徴とする。
【発明の効果】
【００１１】
本発明によれば、容易に遠隔から携帯移動端末の使用者の状態を把握し、携帯端末の使用者の行動に依らずに携帯移動端末のスケジュールを管理することができる。
【図面の簡単な説明】
【００１２】
【図１】本発明によるスケジュール管理システムの第１の実施形態の構成を示す説明図である。
【図２】図１に示すスケジュール管理システムの動作例を示すシーケンス図である。
【図３】本発明によるスケジュール管理システムの第２の実施形態の構成を示す説明図である。
【図４】図３に示すスケジュール管理システムの動作例を示すシーケンス図である。
【図５】本発明によるスケジュール管理システムの第３の実施形態の動作例を示すシーケンス図である。
【図６】本発明によるスケジュール管理システムの第４の実施形態の構成を示す説明図である。
【図７】図６に示すスケジュール管理システムの動作例を示すシーケンス図である。
【図８】本発明によるスケジュール管理システムの主要部を示すブロック図である。
【発明を実施するための形態】
【００１３】
実施形態１．
図１は、本発明によるスケジュール管理システムの第１の実施形態（実施形態１）の構成を示す説明図である。図１を参照して、本発明によるスケジュール管理システムの第１の実施形態の構成を説明する。図１に示すスケジュール管理システムには、管理端末１０、専用モジュール２０および携帯移動端末３０が含まれる。
【００１４】
管理端末１０は、例えば、パーソナルコンピュータや携帯移動端末等の情報処理端末である。管理端末１０は、ネットワーク（図示せず）を介した有線通信または無線通信によって、携帯移動端末３０と通信可能に接続される。管理端末１０は、スケジュールを決定する管理者によって使用される。
【００１５】
専用モジュール２０は、携帯移動端末３０に接続されると、あらかじめに格納されているプログラムに従って、携帯移動端末３０に対して所定の動作を実行する。また、専用モジュール２０は、接続先の携帯移動端末３０からの指示に従って格納部（図示せず）にデータを登録したり、新たに格納部に登録したデータに基づいた動作を携帯移動端末３０に対して実行したりできる。専用モジュール２０は、例えば、プログラムが格納され、携帯移動端末３０に装着可能な形状を有するメモリカード等で実現される。
【００１６】
なお、専用モジュール２０に格納されているプログラムは、装着された携帯移動端末３０に読み込まれて動作する。以下、本明細書では簡略のために、専用モジュール２０に格納されているプログラムが携帯移動端末３０に読み込まれて動作することを、専用モジュール２０が動作する、と表現する。
【００１７】
携帯移動端末３０は、例えば、携帯電話機やＰＤＡ（Personal Digital Assistant）である。携帯移動端末３０は、時刻情報を提供する計時機能を利用して、設定された任意の時刻にアラーム音を鳴動するアラーム機能と、設定された任意の時間を計測するタイマ機能とを有する。携帯移動端末３０は、専用モジュール２０を装着して、専用モジュール２０に接続する。また、携帯移動端末３０は、ネットワークを介した有線通信または無線通信によって、管理端末１０と通信可能に接続される。
【００１８】
また、携帯移動端末３０は、携帯移動端末ごとに識別可能なＩＤ番号を有する。携帯移動端末３０のＩＤ番号は、携帯移動端末３０のスケジュールを管理する管理端末１０に、あらかじめ登録される。
【００１９】
図２は、図１に示すスケジュール管理システムの動作例を示すシーケンス図である。図２を参照して、図１に示すスケジュール管理システムにおいて、管理端末１０から携帯移動端末３０にスケジュールが設定される動作を説明する。
【００２０】
はじめに、携帯移動端末３０には、所定の携帯移動端末コードが、あらかじめ割り当てられて登録されている。同様に、管理端末１０には、所定の管理端末コードが、あらかじめ割り当てられて登録されている。さらに、管理端末１０が携帯移動端末３０のスケジュールを管理するために、携帯移動端末３０には、管理端末１０を認証するための管理端末認証用コードがあらかじめ登録され、管理端末１０には、携帯移動端末３０認証するための携帯移動端末認証用コードがあらかじめ登録されている。管理端末コード、管理端末認証用コード、携帯移動端末コードおよび携帯移動端末認証用コードは、後述する認証処理において使用される。
【００２１】
専用モジュール２０が、携帯移動端末３０に装着される（ステップＡ１）と、携帯移動端末３０は、専用モジュール２０の接続を認識する（ステップＡ２）。
【００２２】
携帯移動端末３０は、専用モジュール２０が接続されたことを示す所定の情報を、ネットワークを介して管理端末１０に送信する（ステップＡ３）。ステップＡ３において、携帯移動端末３０は、例えば、携帯移動端末３０の電話番号と、管理端末１０にあらかじめ登録されている携帯移動端末３０のＩＤ番号とを管理端末１０に送信する。
【００２３】
管理端末１０は、ステップＡ３において携帯移動端末３０から専用モジュール２０が接続されたことを示す所定の情報を受信すると、あらかじめ登録されている携帯移動端末のＩＤ番号を参照する等して、携帯移動端末３０がスケジュール管理の対象としてあらかじめ登録されている携帯移動端末であることを確認する。
【００２４】
次に、管理端末１０と携帯移動端末３０との間で認証処理が実行される。具体的には、まず、管理端末１０は、管理端末１０にあらかじめ登録されている管理端末コードを携帯移動端末３０に送信する（ステップＡ４）。
【００２５】
携帯移動端末３０は、管理端末１０から受信した管理端末コードと、携帯移動端末３０にあらかじめ登録されている管理端末認証用コードとを比較し、管理端末コードに一致する管理端末認証用コードが存在するか確認する。携帯移動端末３０は、管理端末コードに一致する管理端末認証用コードが存在する場合には、携帯移動端末３０にあらかじめ登録されている携帯移動端末コードを管理端末１０に送信する（ステップＡ５）。
【００２６】
管理端末１０は、携帯移動端末３０から受信した携帯移動端末コードと、管理端末１０にあらかじめ登録されている携帯移動端末認証用コードとを比較し、携帯移動端末コードに一致する携帯移動端末認証用コードが存在するか確認する。携帯移動端末認証用コードに一致する携帯移動端末コードが存在する場合に、管理端末１０と携帯移動端末３０との間で認証処理が正常に完了する。管理端末１０と携帯移動端末３０との間で認証処理が正常に完了しなかった場合には、後述するステップＡ６以降に示される動作は実行されない。
【００２７】
なお、管理端末１０と携帯移動端末３０との間で行われる認証処理は、ステップＡ４〜Ａ５に示す方法に特定されるものではなく、認証処理として他の一般的な認証処理方法が適用されてもよい。
【００２８】
管理端末１０と携帯移動端末３０との間で認証処理が正常に完了すると、管理端末１０は、携帯移動端末３０の使用者のスケジュールを設定するためのスケジュール設定情報を、携帯移動端末３０に送信する（ステップＡ６）。なお、ステップＡ６において、管理端末１０は、スケジュール設定情報とともに、スケジュールを管理する処理の実行時に特定の条件が成立した場合に、所定の通知を管理端末１０に返信させるための通知返信情報を送信してもよい。
【００２９】
例えば、スケジュール設定情報には、午後３時にアラームを鳴動させるといった指示が含まれる。また、例えば、通知返信情報には、携帯移動端末３０で午後３時にアラームを鳴動させたときに、所定の時間内にアラームを停止させる操作が行われなければ、反応がないことを示す電子メールを管理端末１０に送信させるといった指示が含まれる。なお、スケジュール設定情報、または、通知返信情報が送信される場合はスケジュール設定情報および通知返信情報を管理データと呼ぶ。
【００３０】
携帯移動端末３０は、ステップＡ６において受信した管理データを専用モジュール２０に登録する（ステップＡ７）。
【００３１】
専用モジュール２０は、登録された管理データに基づいて、携帯移動端末３０に対して午後３時にアラームを鳴動するといったスケジュールの設定を行い、設定したスケジュールに従った運用を開始する（ステップＡ８）。
【００３２】
このようなスケジュール管理システムでは、管理端末１０に指定されたスケジュールが専用モジュール２０を介して携帯移動端末３０に設定されるので、離れた場所にある管理端末１０から携帯移動端末３０のスケジュール管理を行うことができる。また、専用モジュール２０が携帯移動端末３０に装着されるだけで、携帯移動端末３０の使用者による操作を必要とせずに、携帯移動端末３０と管理端末１０との間で通信が行われるので、使用者にとって負担をかけない。
【００３３】
また、このようなスケジュール管理システムでは、管理端末１０と携帯移動端末３０との間で認証処理が正常に完了しない限りは、管理端末１０から携帯移動端末３０に対するスケジュールの設定を行うことができないので、あらかじめ登録されていない他の管理端末から勝手に、携帯移動端末３０のスケジュールが変更されてしまうリスクを防止できる。従って、プライバシーの保護やセキュリティの確保に対して効果を期待できる。
【００３４】
実施形態２．
図３は、本発明によるスケジュール管理システムの第２の実施形態（実施形態２）の構成を示す説明図である。図３に示すスケジュール管理システムの携帯移動端末３１以外の構成は、図１に示すスケジュール管理システムの構成と同じである。携帯移動端末３１は、図１に示す携帯移動端末３０の替わりであって、携帯移動端末３１の加速度の変化を検知し、携帯移動端末３１の向きが変わると傾き等の変化を認識するモーションセンサを有する。一般に、携帯移動端末３１が操作されるときには、操作時の揺れ等によって携帯移動端末３１の向きが変わるので、モーションセンサが向きの変化を加速度の変化で検知することができる。
【００３５】
図４は、図３に示すスケジュール管理システムの動作例を示すシーケンス図である。図４を参照して、図３に示すスケジュール管理システムが、携帯移動端末３１のアラームが鳴動してから所定の時間内に携帯移動端末３１が操作されたか否かによってスケジュールを再度設定する動作を説明する。
【００３６】
なお、専用モジュール２０には、携帯移動端末３１に対するスケジュールとして、スケジュール時間とモーションセンサのタイマとが、あらかじめ設定されている。例えば、スケジュール時間は午前１０時に、モーションセンサのタイマは３分とする。
【００３７】
専用モジュール２０は、携帯移動端末３１の計時機能による時刻情報が入力されると、専用モジュール２０に設定されたスケジュール時間（すなわち、午前１０時）と比較する（ステップＢ１）。
【００３８】
携帯移動端末３１の計時機能による時刻情報が午前１０時を示すと、専用モジュール２０は、携帯移動端末３１に、アラーム機能の起動およびモーションセンサの起動を指示する（ステップＢ２）。
【００３９】
専用モジュール２０から指示を受けた携帯移動端末３１は、アラームを鳴動し、モーションセンサのタイマを起動する（ステップＢ３）。モーションセンサのタイマは、例えば３分間をカウントし、携帯移動端末３１は、その間にモーションセンサが携帯移動端末３１の変化を検知するか監視する（ステップＢ４）。タイマ動作中にモーションセンサに変化があった場合には、携帯移動端末３１が操作されたと判断できる。
【００４０】
モーションセンサのタイマ動作中に、モーションセンサが携帯移動端末３１の変化を検知した場合には（ステップＢ４のＹ）、携帯移動端末３１は、動作を終了する。モーションセンサのタイマ動作中に、モーションセンサが携帯移動端末３１の変化を検知しなかった場合には（ステップＢ４のＮ）、携帯移動端末３１は、携帯移動端末３１が操作された形跡がない旨を管理端末１０に通知する（ステップＢ５）。
【００４１】
ステップＢ５において携帯移動端末３１から通知を受けた管理端末１０は、再度、携帯移動端末３１に設定するアラーム時間等のスケジュール設定を含む管理データを携帯移動端末３１に送信する（ステップＢ６）。
【００４２】
携帯移動端末３１は、受信した管理データを専用モジュール２０に登録する（ステップＢ７）。専用モジュール２０は、登録した管理データに基づいて、携帯移動端末３１に対して新たにスケジュールの設定を行い、設定したスケジュールに従った運用を開始する（ステップＢ８）。
【００４３】
このようなスケジュール管理システムでは、モーションセンサによる検知を行うことによって、管理端末１０の管理者は、携帯移動端末３１が操作されたか否かを判断することができ、携帯移動端末３１の使用者の行動を把握し、スケジュールの再設定によるスケジュール管理を行うことができる。
【００４４】
なお、図２に示すステップＡ１〜Ａ８に示す動作を行ったあとに、引き続き図４に示すステップＢ１〜Ｂ８に示す動作を行ってもよい。
【００４５】
このとき、図２に示すステップＡ６において送信されたスケジュール設定情報に基づいて、携帯移動端末３１に対するスケジュール時間とモーションセンサのタイマとが、専用モジュール２０に設定されている。また、図２に示すステップＡ６において送信された通知返信情報が指定する特定の条件は、モーションセンサのタイマ動作中にモーションセンサが携帯移動端末３１の変化を検知するか否か（図４に示すステップＢ４）に相当する。そして、モーションセンサのタイマ動作中にモーションセンサが携帯移動端末３１の変化を検知しなかった場合には、通知返信情報に基づいて、図５に示すステップＣ６における具体的な通知が行われる。
【００４６】
その結果、このようなスケジュール管理システムでは、管理端末１０と携帯移動端末３１との間で相互に認証を行ったあとに、管理端末１０の管理者が、携帯移動端末３１が操作されているか否かを確認しながら、管理端末１０から携帯移動端末３１に対して、逐次スケジュールの指示、設定および管理を行うことができる。
【００４７】
実施形態３．
図５は、本発明によるスケジュール管理システムの第３の実施形態（実施形態３）の動作例を示すシーケンス図である。第３の実施形態のスケジュール管理システムの構成は、図１に示すスケジュール管理システムの構成と同じである。ただし、携帯移動端末３０は、携帯移動端末３０に内蔵されたＧＰＳ機能を利用して、携帯移動端末３０の位置情報を取得する位置情報取得機能を有する。図５を参照して、第３の実施形態のスケジュール管理システムが、携帯移動端末３０のアラームが鳴動してから所定の時間内に携帯移動端末３０の位置が動いたか否かによってスケジュールを再度設定する動作を説明する。
【００４８】
なお、専用モジュール２０には、携帯移動端末３０に対するスケジュールとして、スケジュール時間と、位置情報を取得するタイミングを決定するためのタイマとが、あらかじめ設定されている。例えば、スケジュール時間は午前１０時に、位置情報を取得するタイミングを決定するタイマは３分とする。
【００４９】
専用モジュール２０は、携帯移動端末３０の計時機能による時刻情報が入力されると、専用モジュール２０に設定されたスケジュール時間（すなわち、午前１０時）と比較する（ステップＣ１）。
【００５０】
携帯移動端末３０の計時機能による時刻情報が午前１０時を示すと、専用モジュール２０は、携帯移動端末３０に、アラーム機能の起動および位置情報の取得を指示する（ステップＣ２）。また、このとき、アラーム機能の起動時から、３分間のタイマを起動するよう指示する。
【００５１】
専用モジュール２０から指示を受けた携帯移動端末３０は、アラームを鳴動し、３分間のタイマを起動し、ＧＰＳ機能を利用して携帯移動端末３０の位置情報を取得する（ステップＣ３）。携帯移動端末３０は、取得した位置情報を管理端末１０に送信する（ステップＣ４）。
【００５２】
ステップＣ３においてアラームが鳴動してから所定のタイマ時間（すなわち、３分間）が経過したあとに、携帯移動端末３０は、再度、携帯移動端末３０の位置情報を取得し、ステップＣ４において管理端末１０に送信した位置情報との差異があるか否かを判定する（ステップＣ５）。
【００５３】
所定のタイマ時間経過後に取得した位置情報が、ステップＣ４において送信した位置情報と異なる場合には（ステップＣ５のＹ）、携帯移動端末３０を所持した使用者が移動していると判断できる。このとき、携帯移動端末３０は、動作を終了する。
【００５４】
所定のタイマ時間経過後に取得した位置情報が、ステップＣ４において送信した位置情報と同じである場合には（ステップＣ５のＮ）、携帯移動端末３０は、携帯移動端末３０の使用者が、携帯移動端末３０を所持して移動していない旨を管理端末１０に通知する（ステップＣ６）。
【００５５】
ステップＣ６において携帯移動端末３０から通知を受けた管理端末１０は、再度、携帯移動端末３０に設定するアラーム時間等のスケジュール設定を含む管理データを携帯移動端末３０に送信する（ステップＣ７）。
【００５６】
携帯移動端末３０は、受信した管理データを専用モジュール２０に登録する（ステップＣ８）。専用モジュール２０は、登録した管理データに基づいて、携帯移動端末３０に対して新たにスケジュールの設定を行い、設定したスケジュールに従った運用を開始する（ステップＣ９）。
【００５７】
このようなスケジュール管理システムでは、携帯移動端末３１の位置情報の変化を判定することによって、管理端末１０の管理者は、携帯移動端末３１の使用者が移動しているか否かを判断することができ、携帯移動端末３１の使用者の行動を把握し、スケジュールの再設定によるスケジュール管理を行うことができる。
【００５８】
なお、図２に示すステップＡ１〜Ａ８に示す動作を行ったあとに、引き続き図５に示すステップＣ１〜Ｂ９に示す動作を行ってもよい。
【００５９】
このとき、図２に示すステップＡ６において送信されたスケジュール設定情報に基づいて、携帯移動端末３０に対するスケジュール時間と位置情報を取得するタイミングを決定するためのタイマとが、専用モジュール２０に設定されている。また、図２に示すステップＡ６において送信された通知返信情報が指定する特定の条件は、タイマ時間経過後に取得した位置情報がステップＣ４において送信した位置情報と異なるか否か（図５に示すステップＣ５）に相当する。そして、タイマ時間経過後に取得した位置情報がステップＣ４において送信した位置情報と同じであった場合には、通知返信情報に基づいて、図５に示すステップＣ６における具体的な通知が行われる。
【００６０】
その結果、このようなスケジュール管理システムでは、認証済みの管理端末１０と携帯移動端末３０との間で相互に認証を行ったあとに、管理端末１０の管理者が携帯移動端末３０の使用者が移動しているか否かを確認しながら、管理端末１０から携帯移動端末３０に対して、逐次、スケジュールの指示、設定および管理を行うことができる。
【００６１】
実施形態４．
図６は、本発明によるスケジュール管理システムの第４の実施形態（実施形態４）の構成を示す説明図である。図６に示すスケジュール管理システムの構成は、図１に示すスケジュール管理システムの構成と同じである。図６を参照して、本発明によるスケジュール管理システムの第４の実施形態の構成を説明する。
【００６２】
図７は、図６に示すスケジュール管理システムの動作例を示すシーケンス図である。図７を参照して、図６に示すスケジュール管理システムにおいて、携帯移動端末３０の使用者に突発事故等の異常事態が発生した場合の動作を説明する。
【００６３】
はじめに、携帯移動端末３０には、所定の携帯移動端末コードが、あらかじめ割り当てられて登録されている。同様に、管理端末１０には、所定の管理端末コードが、あらかじめ割り当てられて登録されている。さらに、管理端末１０が携帯移動端末３０のスケジュールを管理するために、携帯移動端末３０には、管理端末１０を認証するための管理端末認証用コードがあらかじめ登録され、管理端末１０には、携帯移動端末３０認証するための携帯移動端末認証用コードがあらかじめ登録されている。
【００６４】
専用モジュール２０が、携帯移動端末３０に装着されると（ステップＤ１）、携帯移動端末３０と管理端末１０との間で相互に認証処理が行われ、管理端末１０から携帯移動端末３０に所定のスケジュールが設定される（ステップＤ２）。ステップＤ１〜Ｄ２に示す詳細な動作は、図２のステップＡ１〜Ａ８に示す動作と同様である。
【００６５】
ここで、ステップＤ２において設定されたスケジュールの動作中に、例えば、電車事故の突発事故による異常事態が発生したとする（ステップＤ３）。このとき、携帯移動端末３０の使用者は、スケジュールどおりに行動することが困難となる。
【００６６】
ステップＤ３において異常事態に遭遇した使用者によって、スケジュールの変更を依頼する変更依頼通知が携帯移動端末３０から管理端末１０に送信されることが想定される（ステップＤ４）。
【００６７】
ステップＤ４において携帯移動端末３０から管理端末１０に変更依頼通知が送信されると、管理端末１０は、変更依頼通知を受信する（ステップＤ５）。管理端末１０は、あらかじめ設定されたプログラムに従って、または、管理端末１０の管理者の判断に基づいて、スケジュールの変更を許可するか否か判断する（ステップＤ６）。
【００６８】
ステップＤ６においてスケジュールの変更を許可しないと判断する場合には（ステップＤ６のＮ）、管理端末１０は、スケジュール設定情報の変更を行わない（ステップＤ７）。このとき、管理端末１０から携帯移動端末３０に、スケジュールの変更を許可しない旨を通知する継続通知を送信してもよい。
【００６９】
ステップＤ６においてスケジュールの変更を許可すると判断する場合には（ステップＤ６のＹ）、管理端末１０は、変更するスケジュール内容を示すスケジュール設定変更情報を携帯移動端末３０に送信する（ステップＤ８）。スケジュール設定変更情報では、例えば、午後３時に予定されていたスケジュールを午後４時にする等のスケジュールの変更が指示される。なお、ステップＤ８において、管理端末１０は、スケジュール設定変更情報とともに、スケジュールを管理する処理の実行時に特定の条件が成立した場合に、所定の通知を管理端末１０に返信させるための通知返信情報を送信してもよい。なお、スケジュール設定変更情報、または、通知返信情報が送信される場合はスケジュール設定変更情報および通知返信情報を変更管理データと呼ぶ。
【００７０】
携帯移動端末３０は、ステップＤ８において受信した変更管理データを専用モジュール２０に登録する（ステップＤ９）。そして、専用モジュール２０は、登録された変更管理データに基づいて、変更されたスケジュールの設定を行い、設定したスケジュールに従った運用を開始する（ステップＤ１０）。
【００７１】
なお、ステップＤ４において携帯移動端末３０から管理端末１０に変更依頼通知が送信されずに、携帯移動端末３０の使用者によってスケジュールが変更された場合には（ステップＤ４のＮ）、専用モジュール２０は、変更されたスケジュールに従って管理データを変更して登録してもよい。
【００７２】
このようなスケジュール管理システムでは、携帯移動端末３０の使用者が、突発事故等の異常事態が発生してスケジュールどおりの行動をとることができなくなった場合でも、管理端末１０の管理者は、携帯移動端末３０の使用者の行動を把握し、スケジュールの再設定によるスケジュール管理を行うことができる。
【００７３】
なお、このようなスケジュール管理システムの携帯移動端末３０は、第２または第３の実施形態のスケジュール管理システムで示す携帯移動端末のように、モーションセンサやＧＰＳ機能を有してもよい。
【００７４】
図８は、本発明によるスケジュール管理システムの主要部を示すブロック図である。図８に示すように、スケジュール管理システムは、携帯移動端末１（例えば、図１に示す携帯移動端末３０に相当）、携帯移動端末１に装着される専用モジュール２（例えば、図１に示す専用モジュール２０に相当）、および携帯移動端末１と通信可能に接続され、携帯移動端末１を所持するユーザのスケジュールを管理する管理端末３（例えば、図１に示す管理端末１０に相当）を含むスケジュール管理システムであって、専用モジュール２が装着された携帯移動端末１が、管理端末３との間で認証処理を行い（例えば、図２のステップＡ４〜Ａ５に示す動作によって実現される。）、管理端末３は、認証処理が正常に完了した場合に、スケジュールを設定するための管理データを携帯移動端末１に送信し（例えば、図２のステップＡ６に示す動作によって実現される。）、携帯移動端末１は、管理端末３から受信した管理データを専用モジュール２に登録し（例えば、図２のステップＡ７に示す動作によって実現される。）、専用モジュール２は、携帯移動端末１によって登録された管理データに基づいて、携帯移動端末１を所持するユーザのスケジュールを管理する処理を実行する（例えば、図２のステップＡ８に示す動作によって実現される。）ように構成されている。
【００７５】
また、上記の各実施形態では、以下の（１）〜（４）に示すようなスケジュール管理システムも開示されている。
【００７６】
（１）管理データには、スケジュールを管理する処理の実行時に特定の条件が成立した場合に、所定の通知を携帯移動端末から管理端末に送信させるための通知返信情報（例えば、第１の実施形態の通知返信情報に相当）が含まれ、携帯移動端末は、管理データに基づいた処理の実行中に、管理データの通知返信情報で指定された特定の条件が成立した場合に、管理データの通知返信情報に基づいた所定の通知を管理端末に送信し（例えば、図４のステップＢ５に示す動作によって実現される。）、所定の通知を受信した管理端末は、スケジュールを再設定するための別の管理データを携帯移動端末に送信する（例えば、図４のステップＢ６に示す動作によって実現される。）スケジュール管理システム。
【００７７】
（２）携帯移動端末は、携帯移動端末の加速度の変化を検知するモーションセンサ（例えば、第２の実施形態において、携帯移動端末３１が有するモーションセンサに相当）を有し、携帯移動端末は、管理データに基づいた処理の実行中に、モーションセンサによって検知される携帯移動端末の加速度が変化した場合に、管理データの通知返信情報に基づいた所定の通知を管理端末に送信するスケジュール管理システム（例えば、第２の実施形態のスケジュール管理システムによって実現される。）。
【００７８】
（３）携帯移動端末は、携帯移動端末の位置情報を取得する位置情報取得部を有し（例えば、第３の実施形態において、携帯移動端末３０が有するＧＰＳ機能によって実現される。）、携帯移動端末は、管理データに基づいた処理の実行中に、位置情報取得部によって取得される携帯移動端末の位置情報が変化しなかった場合に、管理データの通知返信情報に基づいた所定の通知を管理端末に送信するスケジュール管理システム（例えば、第３の実施形態のスケジュール管理システムによって実現される。）。
【００７９】
（４）携帯移動端末が、管理データに基づいた処理の実行中に、スケジュールの変更を依頼する変更依頼通知（例えば、第４の実施形態における変更依頼通知に相当）を管理端末送信した場合に、管理端末は、スケジュールを再設定するための別の管理データ（例えば、第４の実施形態における変更管理データに相当）を携帯移動端末に送信するスケジュール管理システム（例えば、第４の実施形態のスケジュール管理システムによって実現される。）。
【００８０】
上記の実施形態の一部または全部は、以下の付記のようにも記載されうるが、以下には限られない。
【００８１】
（付記１）携帯移動端末、前記携帯移動端末に装着される専用モジュール、および前記携帯移動端末と通信可能に接続され、前記携帯移動端末を所持するユーザのスケジュールを管理する管理端末を含むスケジュール管理システムであって、前記専用モジュールが装着された前記携帯移動端末が、前記管理端末との間で認証処理を行い、前記管理端末は、前記認証処理が正常に完了した場合に、スケジュールを設定するための管理データを前記携帯移動端末に送信し、前記携帯移動端末は、前記管理端末から受信した管理データを前記専用モジュールに登録し、前記専用モジュールは、前記携帯移動端末によって登録された管理データに基づいて、前記携帯移動端末を所持するユーザのスケジュールを管理する処理を実行することを特徴とするスケジュール管理システム。
【００８２】
（付記２）管理データには、スケジュールを管理する処理の実行時に特定の条件が成立した場合に、所定の通知を携帯移動端末から管理端末に送信させるための通知返信情報が含まれ、携帯移動端末は、前記管理データに基づいた処理の実行中に、前記管理データの通知返信情報で指定された特定の条件が成立した場合に、前記管理データの通知返信情報に基づいた所定の通知を管理端末に送信し、前記所定の通知を受信した管理端末は、スケジュールを再設定するための別の管理データを前記携帯移動端末に送信する付記１記載のスケジュール管理システム。
【００８３】
（付記３）携帯移動端末は、前記携帯移動端末の加速度の変化を検知するモーションセンサを有し、前記携帯移動端末は、管理データに基づいた処理の実行中に、前記モーションセンサによって検知される前記携帯移動端末の加速度が変化した場合に、前記管理データの通知返信情報に基づいた所定の通知を管理端末に送信する付記２記載のスケジュール管理システム。
【００８４】
（付記４）携帯移動端末は、前記携帯移動端末の位置情報を取得する位置情報取得部を有し、前記携帯移動端末は、管理データに基づいた処理の実行中に、前記位置情報取得部によって取得される前記携帯移動端末の位置情報が変化しなかった場合に、前記管理データの通知返信情報に基づいた所定の通知を管理端末に送信する付記２記載のスケジュール管理システム。
【００８５】
（付記５）携帯移動端末が、管理データに基づいた処理の実行中に、スケジュールの変更を依頼する変更依頼通知を管理端末送信した場合に、前記管理端末は、スケジュールを再設定するための別の管理データを前記携帯移動端末に送信する付記１から付記４のうちのいずれか１つに記載のスケジュール管理システム。
【００８６】
（付記６）携帯移動端末、前記携帯移動端末に装着される専用モジュール、および前記携帯移動端末と通信可能に接続され、前記携帯移動端末を所持するユーザのスケジュールを管理する管理端末を含むスケジュール管理システムにおけるスケジュール管理方法であって、前記専用モジュールが装着された前記携帯移動端末が、前記管理端末との間で認証処理を行い、前記管理端末は、前記認証処理が正常に完了した場合に、スケジュールを設定するための管理データを前記携帯移動端末に送信し、前記携帯移動端末は、前記管理端末から受信した管理データを前記専用モジュールに登録し、前記専用モジュールは、前記携帯移動端末によって登録された管理データに基づいて、前記携帯移動端末を所持するユーザのスケジュールを管理する処理を実行することを特徴とするスケジュール管理方法。
【００８７】
（付記７）管理データには、スケジュールを管理する処理の実行時に特定の条件が成立した場合に、所定の通知を携帯移動端末から管理端末に送信させるための通知返信情報が含まれ、携帯移動端末は、前記管理データに基づいた処理の実行中に、前記管理データの通知返信情報で指定された特定の条件が成立した場合に、前記管理データの通知返信情報に基づいた所定の通知を管理端末に送信し、前記所定の通知を受信した管理端末は、スケジュールを再設定するための別の管理データを前記携帯移動端末に送信する付記６記載のスケジュール管理方法。
【符号の説明】
【００８８】
１    携帯移動端末
２    専用モジュール
３    管理端末
１０  管理端末
２０  専用モジュール
３０，３１  携帯移動端末
【図１】
2011239135.tif 000003
【図２】
2011239135.tif 000004
【図３】
2011239135.tif 000005
【図４】
2011239135.tif 000006
【図５】
2011239135.tif 000007
【図６】
2011239135.tif 000008
【図７】
2011239135.tif 000009
【図８】
2011239135.tif 000010